(57)【特許請求の範囲】
【請求項１】
装置が第１の姿勢で設置された場合と、第１の姿勢と水平方向に対する傾きが異なる第２の姿勢で設置された場合のいずれの場合でも画像形成が可能な画像形成装置であって、
加熱回転体の周面に加圧部材を押圧して定着ニップを形成し、当該定着ニップに通紙される記録シート上のトナー像を熱定着する定着手段と、
前記加熱回転体の表面温度を非接触で検出する温度検出手段と、
前記加熱回転体を加熱する加熱手段と、
前記温度検出手段の検出結果に基づき、加熱手段を制御して加熱回転体の温度を制御する制御手段と、
前記第１と第２の姿勢の変更に応じて加熱回転体に対する前記温度検出手段による測定位置を第１と第２の位置に変更する変更手段と、
第１の姿勢に対応し、前記第１の姿勢における前記定着ニップと前記温度検出手段による測定位置との位置関係に基づく第１の補正テーブルと、第２の姿勢に対応し、前記第２の姿勢における前記定着ニップと前記温度検出手段による測定位置との位置関係に基づく第２の補正テーブルとを記憶する記憶手段と、
現在の設置姿勢が第１と第２のいずれの姿勢であるかに関する情報を取得する取得手段とを備え、
装置が第１の姿勢および第２の姿勢のいずれにあるときも、前記温度検出手段による測定位置が、鉛直方向において、前記加熱回転体の回転中心よりも上方となっており、
前記制御手段は、第１および第２の補正テーブルのうち現状の姿勢に対応する補正テーブルと前記温度検出手段の検出結果とに基づいて、前記加熱回転体の表面温度を推定することを特徴とする画像形成装置。
【請求項２】
前記温度検出手段は、
１つの温度計測部を有し、
前記第２の姿勢の、第１の姿勢からの傾き角をθ［°］とすると、
第１の姿勢において、前記加熱回転体の回転軸方向からみたとき、前記加熱回転体の回転中心を通って鉛直方向上方に伸びる直線に対して、第１から第２の姿勢に傾ける方向と反対方向に９０［°］−θ／２［°］だけ傾いた位置に、前記温度計測部の位置が決定されていることを特徴とする請求項１に記載の画像形成装置。
【請求項３】
前記θの大きさは、９０［°］である
ことを特徴とする請求項２に記載の画像形成装置。
【請求項４】
前記変更手段は、
装置が第１の姿勢にあるときと、第２の姿勢にあるときとで、前記加熱回転体の表面温度の検出誤差が所定の範囲内となるように、前記温度検出手段による加熱回転体に対する測定位置を前記第１と第２の位置に変更することを特徴とする請求項１に記載の画像形成装置。
【請求項５】
前記温度検出手段は、
第１の姿勢のときに加熱回転体に対して第１の位置にある非接触型の第１の温度センサーと、第２の姿勢のときに加熱回転体に対して第２の位置にある非接触型の第２の温度センサーとを備え、
前記変更手段は、前記取得手段で取得した設置姿勢に関する情報に基づき、第１と第２の温度センサーのうち対応する位置にある温度センサーを選択することにより、前記測定位置を変更する
ことを特徴とする請求項４に記載の画像形成装置。
【請求項６】
前記温度検出手段は、非接触型の温度センサーであって、
前記変更手段は、
装置の第１の姿勢から第２の姿勢への変更に伴い、前記温度センサーを、前記第１の位置から、第２の位置まで移動する移動手段を有する
ことを特徴とする請求項４に記載の画像形成装置。
【請求項７】
前記移動手段は、
前記温度センサーを、第１の位置から第２の位置まで移動可能に保持する保持部材と、
筺体の側面であって、第２の姿勢に変更したときに床面に対向する側面から、外方に進退可能に突出する突出部材と、
装置を第２の姿勢に姿勢変更する際に、前記突出部材が床面に当接して前記筺体内に後退するときの移動を、前記温度センサーが第１の位置から第２の位置に移動する動作に変換して前記保持機構に伝達するリンク機構と
を備えることを特徴とする請求項６に記載の画像形成装置。
【請求項８】
前記記憶手段は、前記温度検出手段による検出温度と、前記加熱回転体の表面のうち前記温度検出手段による検出対象の位置における表面温度とに基づいた、第１および第２の姿勢共通の補正テーブルである第３の補正テーブルを記憶し、
前記制御手段は、さらに前記第３の補正テーブルと、前記温度検出手段の検出結果とに基づいて、前記加熱回転体の表面温度を推定することを特徴とする請求項２または３に記載の画像形成装置。
【請求項９】
ユーザーから装置の設置姿勢についての入力を受け付ける受付手段を備え、
前記取得手段は、前記受付手段を介して、現在の設置姿勢が第１と第２のいずれの姿勢であるかに関する情報を取得する
ことを特徴とする請求項１から８のいずれかに記載の画像形成装置。
【請求項１０】
装置本体の設置姿勢を検出する姿勢検出手段を備え、
前記取得手段は、前記姿勢検出手段の検出結果を、現在の設置姿勢が第１と第２のいずれの姿勢であるかに関する情報として取得する
ことを特徴とする請求項１から８のいずれかに記載の画像形成装置。
【発明の詳細な説明】
【技術分野】
【０００１】
本発明は、設置姿勢が変更可能な画像形成装置に関し、特に、当該画像形成装置における定着器内の温度検出に関する。
【背景技術】
【０００２】
通常、プリンターなどの画像形成装置は、給紙トレイのシート載置面が略水平状態となるような姿勢（横置き姿勢）で使用される。その方が、給紙トレイに積載された記録シートが撓むことなく円滑に給紙できるからである。
しかし、例えば、一般家庭で使用するような場合には、設置スペースにそれほど余裕がないため、画像形成装置を縦置きにして使用できれば便利である。
【０００３】
そこで、近年では、設置スペースに応じ、横置き・縦置きのいずれでも使用が可能な画像形成装置が提案されている（例えば、特許文献１）。
【先行技術文献】
【特許文献】
【０００４】
【特許文献１】特開平８−３１４３３３号公報
【特許文献２】特開２００９−１８０９１７号公報
【発明の概要】
【発明が解決しようとする課題】
【０００５】
しかしながら、特に、電子写真方式の画像形成装置において、これを縦置きにして使用すると、以下に示すように、その定着器における定着ローラーなどの加熱回転体の温度を精度よく制御できないおそれがある。
一般に、加熱回転体の周面の温度は、当該周面を傷つけないように非接触状態で、かつ、周面に近接配置されたサーミスターなどの温度センサーによって検出されており、その検出結果に基づいて加熱回転体用のヒーターをＯＮ・ＯＦＦ制御することにより、当該加熱回転体周面が所定の温度に維持されるようになっている。
【０００６】
ところが、このような非接触型の温度センサーでは、主として加熱回転体と温度センサーとの間に介在する空気の自然対流に伴う熱伝導により温度を検出する構成となっているため、画像形成装置の設置姿勢を変更して、加熱回転体に対する温度センサーの相対的な位置を変化させると、加熱回転体と温度センサー間の対流状況も変化して、温度センサーの検出結果に差異が生じることがある。
【０００７】
例えば、加熱回転体の回転中心から鉛直方向上方の位置に温度センサーを設けた場合には、検出結果はあまりばらつかずに安定しているため、検出精度も高くなっているが、加熱回転体の回転中心から水平方向の位置に温度センサーを設けた場合には、検出結果にばらつきが生じて検出精度が低下する。
そのため、横置き姿勢において、温度センサーの検出結果に基づいて的確に加熱回転体の温度制御を行うように設計しても、縦置き姿勢にすると、必ずしも望ましい温度に制御することができないという問題が生じてしまう。
【０００８】
そこで、縦置き姿勢においては、温度センサーの出力値を加熱回転体の表面温度に換算する補正係数の値を見直すことで対応することも考えられるが、温度センサーの配置によっては対応しきれないものがある。
本発明は、上述のような問題に鑑みてなされたものであって、設置姿勢が変更可能な画像形成装置において、設置姿勢が変更されても、定着器における加熱回転体の表面温度を精度よく検出し、的確な温度制御が可能な画像形成装置を提供することを目的とする。
【課題を解決するための手段】
【０００９】
上記目的を達成するため、本発明に係る画像形成装置は、装置が第１の姿勢で設置された場合と、第１の姿勢と水平方向に対する傾きが異なる第２の姿勢で設置された場合のいずれの場合でも画像形成が可能な画像形成装置であって、加熱回転体の周面に加圧部材を押圧して定着ニップを形成し、当該定着ニップに通紙される記録シート上のトナー像を熱定着する定着手段と、前記加熱回転体の表面温度を非接触で検出する温度検出手段と、前記加熱回転体を加熱する加熱手段と、前記温度検出手段の検出結果に基づき、加熱手段を制御して加熱回転体の温度を制御する制御手段と、前記第１と第２の姿勢の変更に応じて加熱回転体に対する前記温度検出手段による測定位置を第１と第２の位置に変更する変更手段と、第１の姿勢に対応し、前記第１の姿勢における前記定着ニップと前記温度検出手段による測定位置との位置関係に基づく第１の補正テーブルと、第２の姿勢に対応し、前記第２の姿勢における前記定着ニップと前記温度検出手段による測定位置との位置関係に基づく第２の補正テーブルとを記憶する記憶手段と、現在の設置姿勢が第１と第２のいずれの姿勢であるかに関する情報を取得する取得手段とを備え、装置が第１の姿勢および第２の姿勢のいずれにあるときも、前記温度検出手段による測定位置が、鉛直方向において、前記加熱回転体の回転中心よりも上方となっており、前記制御手段は、第１および第２の補正テーブルのうち現状の姿勢に対応する補正テーブルと前記温度検出手段の検出結果とに基づいて、前記加熱回転体の表面温度を推定することを特徴とする。
【００１０】
また、前記温度検出手段は、１つの温度計測部を有し、前記第２の姿勢の、第１の姿勢からの傾き角をθ［°］とすると、第１の姿勢において、前記加熱回転体の回転軸方向からみたとき、前記加熱回転体の回転中心を通って鉛直方向上方に伸びる直線に対して、第１から第２の姿勢に傾ける方向と反対方向に９０［°］−θ／２［°］だけ傾いた位置に、前記温度計測部の位置が決定されていることが望ましい。
【００１１】
さらに、前記θの大きさは、９０［°］であることが望ましい。
または、前記変更手段は、装置が第１の姿勢にあるときと、第２の姿勢にあるときとで、前記加熱回転体の表面温度の検出誤差が所定の範囲内となるように、前記温度検出手段による加熱回転体に対する測定位置を前記第１と第２の位置に変更することが望ましい。
【００１２】
そして、前記温度検出手段は、第１の姿勢のときに加熱回転体に対して第１の位置にある非接触型の第１の温度センサーと、第２の姿勢のときに加熱回転体に対して第２の位置にある非接触型の第２の温度センサーとを備え、前記変更手段は、前記取得手段で取得した設置姿勢に関する情報に基づき、第１と第２の温度センサーのうち対応する位置にある温度センサーを選択することにより、前記測定位置を変更することが望ましい。
【００１３】
もしくは、前記温度検出手段は、非接触型の温度センサーであって、前記変更手段は、装置の第１の姿勢から第２の姿勢への変更に伴い、前記温度センサーを、前記第１の位置から、第２の位置まで移動する移動手段を有することが望ましい。
また、前記移動手段は、前記温度センサーを、第１の位置から第２の位置まで移動可能に保持する保持部材と、筺体の側面であって、第２の姿勢に変更したときに床面に対向する側面から、外方に進退可能に突出する突出部材と、装置を第２の姿勢に姿勢変更する際に、前記突出部材が床面に当接して前記筺体内に後退するときの移動を、前記温度センサーが第１の位置から第２の位置に移動する動作に変換して前記保持機構に伝達するリンク機構とを備えることが望ましい。
【００１４】
ここで、前記記憶手段は、前記温度検出手段による検出温度と、前記加熱回転体の表面のうち前記温度検出手段による検出対象の位置における表面温度とに基づいた、第１および第２の姿勢共通の補正テーブルである第３の補正テーブルを記憶し、前記制御手段は、さらに前記第３の補正テーブルと、前記温度検出手段の検出結果とに基づいて、前記加熱回転体の表面温度を推定することが望ましい。
【００１５】
また、ユーザーから装置の設置姿勢についての入力を受け付ける受付手段を備え、前記取得手段は、前記受付手段を介して、現在の設置姿勢が第１と第２のいずれの姿勢であるかに関する情報を取得することが望ましい。
もしくは、装置本体の設置姿勢を検出する姿勢検出手段を備え、前記取得手段は、前記姿勢検出手段の検出結果を、現在の設置姿勢が第１と第２のいずれの姿勢であるかに関する情報として取得することが望ましい。
【発明の効果】
【００１６】
前記温度検出手段による測定位置が、第１と第２のいずれの姿勢においても、対流が滞りにくい位置、即ち、鉛直方向において、前記加熱回転体の回転軸よりも上方となる位置に配設されているので、加熱回転体および上記測定位置間の熱の移動がスムーズに行われて、比較的安定した検出結果が得られる。
これにより、温度検出手段により検出される温度は、加熱回転体の温度がより反映されたものとなるので、加熱回転体定着ローラーの表面温度を精度よく検出することができる。
【図面の簡単な説明】
【００１７】
【図１】本発明の第１の実施の形態に係る画像形成装置が、横置き姿勢で設置されている状態を示す概略断面図である。
【図２】上記画像形成装置が、縦置き姿勢で設置されている状態を示す概略図である。
【図３】上記画像形成装置の制御部とこれの制御対象とを示すブロック図である。
【図４】本発明の第２の実施の形態に係る画像形成装置が、横置き姿勢で設置されている状態を示す概略断面図である。
【図５】本発明の第２の実施の形態に係る画像形成装置が、縦置き姿勢で設置されている状態を示す概略断面図である。
【図６】本発明の第２の実施の形態に係る制御部において実行される温調制御の実行手順を示すフローチャートである。
【図７】本発明の第３の実施の形態に係る画像形成装置が、横置き姿勢で設置されている状態を示す概略部分断面図である。
【図８】本発明の第３の実施の形態に係る画像形成装置が、縦置き姿勢で設置されている状態を示す概略部分断面図である。
【図９】本発明の第３の実施の形態に係る画像形成装置の制御部において実行される温調制御の実行手順を示すフローチャートである。
【図１０】本発明の第４の実施の形態に係る画像形成装置が、横置き姿勢で設置されている状態を示す概略部分断面図である。
【図１１】本発明の第４の実施の形態に係る定着部周辺の構成を示す斜視図である。
【図１２】本発明の第４の実施の形態に係る画像形成装置が、縦置き姿勢で設置されている状態を示す概略断面図である。
【図１３】（ａ）および（ｂ）は、本発明の変形例に係る画像形成装置を、それぞれ横置き姿勢および縦置き姿勢で設置した状態を示す概略部分断面図である。
【発明を実施するための形態】
【００１８】
（１）第１の実施の形態
以下、本発明の第１の実施の形態に係る画像形成装置について、図面を参照しながら説明する。
（１−１）画像形成装置の構成
図１は、本発明の第１の実施の形態に係る画像形成装置の一例であるプリンターの構成を説明するための概略断面図である。
【００１９】
プリンター１は、直方体状の筐体２を有しており、この筐体２の面２ａを下向きにして給紙トレイ２１が水平に近い状態で設置する姿勢（以下、「横置き姿勢」という。）と、この面２ａに直交すると共に、面２ａよりも面積が小さい面２ｂを下向きにして設置する姿勢（以下、「縦置き姿勢」という。）との間で択一的に設置可能な構成となっており、図１では、横置き姿勢の状態を示している。
【００２０】
つまり、ユーザーは、プリンター１の設置姿勢として、通常、横置き姿勢を選択し、また、設置スペースが限られている場合には、縦置き姿勢を選択することができる。
プリンター１は、矢印Ａで示す方向に回転駆動される円筒状の感光体ドラム１２を有している。
この感光体ドラム１２の周囲には、電子写真方式によってトナー画像を記録シート上に形成するための帯電器１４、光学部１５、現像器１６、転写ローラー１７が、感光体ドラム１２の回転方向（同図の反時計回り）に沿って、この順番で設けられている。
【００２１】
このプリンター１では、制御部５０において、外部機器から入力される画像データがレーザダイオードの駆動信号に変換され、その駆動信号によって、光学部１５に設けられたレーザダイオードが駆動される。
これにより、光学部１５からは画像データに応じたレーザ光Ｌが感光体ドラム１２の表面に照射される。
【００２２】
感光体ドラム１２の表面は、予め帯電器１４によって所定電位に帯電されており、光学部１５から照射されるレーザ光Ｌが露光されることより、感光体ドラム１２の表面上に静電潜像が形成される。この静電潜像は、現像器１６において、トナーによって現像されてトナー画像が形成される。
感光体ドラム１２の下方には、給紙部２０が設けられており、当該給紙部２０は、用紙、ＯＨＰシート等の複数枚の記録シートＳ（図中の二点鎖線部分）が積載状態で収容される給紙トレイ２１とピックアップローラー２５などからなる。
【００２３】
ピックアップローラー２５によって、給紙トレイ２１内の複数の記録シートＳのうちの最上位にあるものが１枚ずつ繰り出されて感光体ドラム１２に向けて搬送経路２６に送り出される。
なお、給紙トレイ２１の昇降板２２ａは、カム機構などの不図示の駆動機構により昇降する構成となっており、記録シートＳを搬送経路２６に繰り出す際に上昇して、最上位の記録シートをピックアップローラー２５に押し当てる。
【００２４】
矢印Ｂ方向に回転する転写ローラー１７が、感光体ドラム１２の周面に圧接した状態で配されており、これにより転写ニップ２７が形成される。搬送経路２６を通過した記録シートＳは、転写ニップ２７内に搬送される。
記録シートＳが転写ニップ２７を通過する間に、転写ローラー１７に印加された転写電圧によって発生する転写電界の作用により、感光体ドラム１２上に担持されたトナー像が記録シートＳ上に転写される。
【００２５】
トナー画像が記録シートＳに転写された後の感光体ドラム１２の表面は、不図示のクリーニングブレードによってクリーニングされる。
一方、トナー画像が転写された記録シートＳは、定着部３０へ搬送される。
定着部３０は、並行配置された定着ローラー３１および加圧ローラー３２を有しており、定着ローラー３１と加圧ローラー３２間で定着ニップ部Ｎが形成される。
【００２６】
定着ローラー３１は、不図示の駆動源により矢印Ｃ方向に回転駆動されるものであって、制御部５０により温調制御されるヒーター３３（ハロゲンランプ）が内蔵されており、これによって、定着ニップ部Ｎを通過する直前の表面温度（以下、単に「表面温度」という。）が目標の温度となるように加熱される構成となっている。
加圧ローラー３２は、定着ローラー３１が回転駆動されるのに伴い、矢印Ｄ方向に従動回転する。
【００２７】
なお、加圧ローラー３２が回転駆動され、定着ローラー３１がこれに伴い従動回転する構成であっても構わない。
さらに、定着部３０には、定着ローラー３１の長手方向（紙面奥行方向）の中央部に、当該定着ローラー３１の表面温度を検出する温度センサー３４が設けられている。
ここで、温度センサー３４は、サーミスターや熱電対などの比較的安価な熱型の温度検出素子であって、定着ローラー３１の表面を傷つけないように、当該表面から僅かに離れた位置に設けられており、対流する空気の熱伝導により定着ローラー３１の表面温度を検出している。
【００２８】
第１の実施の形態では、温度センサー３４として、例えば、ＮＴＣサーミスターを用いている。
記録シートＳに転写された未定着のトナー像は、定着ニップ部Ｎを通過する間に、定着ローラー３１によって所定の温度で加熱・加圧されて、記録シートＳに定着される。
定着ニップ部Ｎを通過した記録シートＳは、定着ローラー３１および加圧ローラー３２によって排紙ローラー４０へ搬送され、排紙ローラー４０によって排紙トレイ４１上に排出される。
【００２９】
なお、排紙トレイ４１の下流側には、着脱式の延長トレイ４１ａが装着されており、記録シートＳが大サイズであっても、先端が垂れ下がらないようになっている。
制御部５０は、プリンター１の各部を統括的に制御してプリントジョブを円滑に実行させる。その制御の一環として、温度センサー３４によって定着ローラー３１の表面温度を計測しつつ、ヒーター３３をＯＮ・ＯＦＦして、目標温度に近づける温調制御を実行する。
【００３０】
図２は、プリンター１の縦置き姿勢の状態を示す概略断面図であり、筐体２の面２ｂが下向きとなるように載置されている。
ユーザーは、プリンター１を縦置き姿勢で設置する際、支軸２２を中心にして、給紙トレイ２１を矢印Ｅ方向に揺動させる。
これにより、給紙トレイ２１の載置面２１ａが、鉛直方向から少し傾斜してやや上向きとなり、記録シートＳを給紙トレイ２１に立て掛けるようにして載置することが可能となる。
【００３１】
また、給紙トレイ２１の幅方向（紙面奥行方向）両端には、１対のガイド板２１ｂが設けられており、記録シートＳの幅方向における側縁を揃えて案内する共に、縦置き姿勢における給紙トレイ２１の外側への揺動により筐体２との間に生じた隙間を塞いで、記録シートＳが脱落しないように構成されている。
ここで、ピックアップローラー２５およびこれに連結された不図示の駆動源は、給紙トレイ２１と一体となって揺動する構成となっており、プリンター１の設置姿勢が変更されても、ピックアップ時において、ピックアップローラー２５が最上位の記録シートＳに接触可能な構成となっている。
【００３２】
また、ユーザーは、プリンター１を縦置き姿勢で設置する際、同図に示すように、延長トレイ４１ａ（図１参照）を取り外し、別の延長トレイ４２を筐体２に取着する。
これにより、鉛直方向から少し傾いたやや上向きの載置面４２ａが形成されるため、排紙された記録シートＳを積載していくことができる。なお、延長トレイ４１ａを、縦置きの際にも使用できるような形状に設計しておけば、別途延長トレイ４２を備える必要がなくなり、備品のコストを低減することができる。
【００３３】
第１の実施の形態における温度センサー３４は、温度検出感度が高い部分（以下、「感熱部」という。）３４ａを有している。
横置き姿勢における温度センサーの感熱部３４ａ位置は、図１に示すように、定着ローラー３１の回転中心を通って鉛直方向上方に伸びる直線に対して、横置きから縦置き姿勢するためにプリンター１を傾ける方向と反対方向に４５［°］だけ傾いた位置に設けられている。
【００３４】
定着ローラー３１表面から感熱部３４ａまでの最小距離Ｄ１は、２．３［ｍｍ］±０．３［ｍｍ］となるように設定されている（図１参照）。
このＤ１の値は、組み付け誤差等に起因する感熱部３４ａと定着ローラー３１の表面との接触を防止して、当該表面に傷などが生じないようにしつつ、定着ローラー３１との表面温度を精度よく検出することができるように設定された値である。
【００３５】
ここで、プリンター１を横置き姿勢から縦置き姿勢に変更するには、面２ａと面２ｂとが直交しているため、横置き姿勢のプリンター１を９０［°］傾けることになる。
すると、図１に示す横置き姿勢において、定着ローラー３１の軸心方向の紙面手前側から奥側を見たとき、当該定着ローラー３１の回転中心を通って鉛直方向上方に伸びる直線（以下、単に「鉛直線」ということもある。）に対して左側４５［°］の位置にあった感熱部３４ａは、縦置き姿勢では、図２に示すように、同鉛直線の右側４５［°］の位置に移動し、横置き姿勢における位置と当該鉛直線に対し対称の位置になる。
【００３６】
定着ローラー３１の加熱に起因する自然対流の様子は、定着ローラー３１の軸方向から見たときに、上記鉛直線を挟んでほぼ左右対称と解されるから、定着ローラー３１の表面から温度センサー３４に伝わる熱量は、横置き姿勢および縦置き姿勢の場合において、ほぼ同等であると評価できる。
（１−２）制御部の構成
図３は、プリンター１における制御部５０の構成と、これの制御対象となる主構成要素との関係を示す図である。
【００３７】
制御部５０は、主な構成要素として、ＣＰＵ１５０、通信インターフェース（Ｉ／Ｆ）部１５１、ＲＡＭ１５２、ＲＯＭ１５３、ＥＥＰＲＯＭ１５４、補正テーブル記憶部１５５を備えている。
通信Ｉ／Ｆ部１５１は、ＬＡＮカード、ＬＡＮボードといったＬＡＮに接続するためのインターフェースである。
【００３８】
ＲＡＭ（Random Access Memory）１５２は、揮発性のメモリーであって、ＣＰＵ１５０におけるプログラム実行時のワークエリアとなる。
ＲＯＭ（Read Only Memory）１５３には、プリントの実行に関連する制御を行うための制御プログラムなどが格納されている。
ＥＥＰＲＯＭ（Electronically Erasable and Programmable Read Only Memory）１５４は、不揮発性のメモリーであって、ＣＰＵ１５０のデータ保存エリアとなる。
【００３９】
補正テーブル記憶部１５５は、ＥＥＰＲＯＭからなり、後述の温調制御に用いる補正テーブルを記憶している。
ＣＰＵ（Central Processing Unit）１５０は、ＲＯＭ１５３に格納されている制御プログラムを実行することにより、ウォーミングアップやプリントの実行などを実施する。
その際、ＣＰＵ１５０は、定着部３０の温度センサー３４から出力される信号にもとづき、定着ローラー３１内に設けられたヒーター３３をＯＮ・ＯＦＦして、定着ローラー３１の表面温度を目標の温度に調整する以下のような温調制御を実施する。
【００４０】
（１−３）温調制御の内容
以下、第１の実施の形態に係る、制御部５０における定着ローラー３１の温調制御について説明する。
ＣＰＵ１５０は、ウォーミングアップやプリントの実行時など、温度センサー３４の検出結果を用いて定着ローラー３１の表面温度を取得し、当該定着ローラー３１の温調制御を実行する。
【００４１】
ここで、定着ローラー３１の表面温度は、以下の理由により、温度センサー３４の検出結果と補正テーブルとを用いて求めている。
上述のように温度センサー３４は、非接触型であるため、実際の定着ローラー３１の表面温度そのものを検出しているのではなく、実際には、自然対流により感熱部３４ａへと運ばれる空気の温度を検出している。
【００４２】
そこで、あらかじめ、横置き姿勢の状態で実際の定着ローラー３１の表面温度の検出値と温度センサー３４の検出値とを実験により取得して、温度センサー３４の検出値ごとに、それらを実際の定着ローラー３１の表面温度に換算するための補正係数を求めておき、当該温度センサー３４の検出値と補正係数を対応させた補正テーブルを作成し、これを補正テーブル記憶部１５５に格納している。
【００４３】
ところで、自然対流の下では、熱せられた空気が下方から上方に向かって流れるため、感熱部３４ａの位置が、定着ローラー３１の直上から周方向に逸れば逸れるほど、定着ローラー３１の加熱により生じる自然対流の主流から離れてしまい対流が滞り易くなる。
その結果、温度センサー３４の検出値に定着ローラー３１の表面温度が反映され難くなる一方、雰囲気温度の影響が大きくなる。
【００４４】
したがって、定着ローラー３１の回転軸方向から見たとき、定着ローラー３１の回転中心を通って鉛直方向上方に伸びる直線に対する感熱部３４ａの配置角度（以下、単に「配置角度」という。）が大きいほど、実際の定着ローラー３１の表面温度と温度センサー３４の検出値との相関関係が薄くなる。
その結果、定着ローラー３１の表面温度が変化しても、温度センサー３４の検出結果があまり変化しなかったり、反対に表面温度が同じであっても、雰囲気温度の影響により温度センサー３４の検出結果が大きく変化するような事態も発生し、とても補正テーブルでは補正しきれなくなる。
【００４５】
定着ローラー３１の温度制御においては、安定した定着性を維持するため、許容される表面温度の検出誤差が＋−５％以内であることが望ましい。
そこで、発明者らは、感熱部３４ａと定着ローラー３１表面との最小距離Ｄ１を維持しつつ、上記配置角度を順次変化させながら、実際の定着ローラー３１の表面温度と温度センサー３４の検出値との相関を調べる試験を実施して、補正テーブルにより上記表面温度の推定が可能な範囲を特定した。
【００４６】
その結果、定着ローラー３１の回転中心を通る水平面上およびこれよりも下方に感熱部３４ａが存在すると、温度センサー３４の検出値は、定着ローラー３１の表面温度を反映するのは難しくなり、実際の定着ローラー３１の表面温度とのばらつきが生じてしまうため、もはや検出誤差を上記誤差範囲内に収束可能な補正テーブルが作るのが困難であることが判明した。
【００４７】
このため、定着ローラー３１の表面温度を精度よく検出するためには、横置き姿勢および縦置き姿勢のいずれにおいても、感熱部３４ａを定着ローラー３１の回転中心を通る水平面よりも上方に配置する必要がある。
この点、第１の実施形態における感熱部３４ａの位置、即ち、定着ローラー３１の回転中心を通って鉛直方向上方に伸びる直線に対して４５［°］傾いた位置では、検出誤差を定着品質の維持に必要な検出誤差範囲内に収めることができた。
【００４８】
また、本実施の形態では、横置きおよび縦置き姿勢における感熱部３４ａの位置が、定着ローラー３１の回転中心を通る鉛直面を挟んで、面対称の位置となる。
これにより、各姿勢における感熱部３４ａ周辺では、対流状況などを含めた熱伝導条件が略等しくなっているため、各姿勢共通の補正テーブルを用いて、定着ローラー３１の表面温度を精度よく推定することができる。
【００４９】
また、各姿勢共通の補正テーブルを用いるため、補正テーブルを格納する補正テーブル記憶部１５５の記憶容量の節約が可能となる。
（２）第２の実施の形態
（２−１）画像形成装置の構成
以下、本発明の第２の実施の形態に係る画像形成装置の一例であるプリンターについて、図面を参照しながら説明する。
【００５０】
第２の実施の形態に係るプリンターの構成は、基本的に上記第１の実施の形態に係るプリンター１と共通するが、第２の実施の形態に係るプリンター２００では、新たに姿勢検出部５１が追加され、これの検出値が制御部５０に出力される点、また、温度センサー３４の設置位置が変更されており、さらに、補正テーブルの数が２つになっている点で、第１の実施の形態とは異なる。
【００５１】
以下では、共通の構成部分には第１の実施の形態と同じ符号を付して、その説明は省略するか簡略するにとどめ、相違する点を中心に説明する。
図４は、第２の実施の形態に係るプリンター２００を横置き姿勢で設置した状態の概略断面図である。
同図に示すように、プリンター２００は、設置姿勢を検出する姿勢検出部５１を備えている。
【００５２】
姿勢検出部５１は、筐体２の面２ａから外方に突出するアクチュエーター５１ａを有するプッシュスイッチであり、当該アクチュエーター５１ａが設置面に当接して押し上げられることにより、現在横置き姿勢であることを示す信号を制御部５０に出力する。
また、定着部１３０の温度センサー３４は、横置き姿勢時において、図４に示すように、定着ローラー３１の幅方向の中央部において、これの回転中心を通って鉛直方向上方に伸びる直線に対して、同図の反時計方向にθ１［°］傾いた位置に温度センサー３４の感熱部３４ａが位置し、また、縦置き姿勢において、図５に示すように、定着ローラー３１の幅方向の中央部において、これの回転中心を通って鉛直方向上方に伸びる直線に対して、上記回転中心から同図の時計方向にθ２［°］傾いた方向に温度センサー３４の感熱部３４ａが位置するように設けられている。
【００５３】
なお、横置き姿勢から縦置き姿勢への姿勢変更に要する傾き角が９０［°］となっているため、θ１［°］＋θ２［°］＝９０［°］となる。
また、上述のように、定着ローラー３１の表面温度を精度よく検出するためには、横置き姿勢および縦置き姿勢のいずれにおいても、感熱部３４ａを定着ローラー３１の回転中心を通る水平面よりも上方に配置する必要がある。
【００５４】
以上の条件を満足するためには、θ１［°］およびθ２［°］の値は、いずれも９０［°］未満であると共に、負の値は取り得ない。
なお、第２の実施形態では、θ１［°］の値は、θ２［°］の値よりも大きいものとする。
制御部５０の構成は、基本的に上記第１の実施の形態に係るプリンター１と共通するが、横置き姿勢と縦置き姿勢とで、定着ローラー３１の回転中心を通って鉛直方向上方に伸びる直線に対する感熱部３４ａの位置が異なっていることから、補正テーブル記憶部１５５に、第１補正テーブルおよび第２補正テーブルの２つを記憶している点が、第１の実施の形態と異なる。
【００５５】
（２−２）温調制御の内容
以下、第２の実施の形態に係る、制御部５０における定着ローラー３１の温調制御について、図６のフローチャートに基づき説明する。
ＣＰＵ１５０は、定着ローラー３１を温調の開始のタイミングとなるまで待機し（ステップＳ１１：ＮＯ）、プリンター２００の電源投入直後や、プリントジョブを受け付けた場合などに、温調開始のタイミングであると判定して（ステップＳ１１：ＹＥＳ）、姿勢検出部５１の出力信号を現在のプリンター２００の設置姿勢に関する情報として取得する（ステップＳ１２）。
【００５６】
当該情報によりプリンター２００の設置状態が横置き姿勢となっていると判定された場合には（ステップＳ１３：ＹＥＳ）、第１補正テーブルを温度換算用の補正テーブルとして選択し（ステップＳ１４）、温度センサーの検出値を取得する（ステップＳ１６）。
また、プリンター２００の設置状態が縦置き姿勢となっている場合（ステップＳ１３：ＮＯ）、第２補正テーブルを温度換算用の補正テーブルとして選択し（ステップＳ１５）、温度センサーの検出値を取得する（ステップＳ１６）。
【００５７】
そして、ＣＰＵ１５０は、このように選択された補正テーブルと温度センサーの検出値とを用いて、定着ローラー３１の表面温度を推定する（ステップＳ１７）。
ここで、第１補正テーブルと第２補正テーブルについて説明する。
第１補正テーブルは、横置き姿勢時において、温度センサー３４の検出値を定着ローラー３１の表面温度に換算するために、以下のように最適化されたテーブルであり、また、第２補正テーブルは、設置姿勢が縦置き姿勢において、温度センサー３４の検出値を定着ローラー３１の表面温度に換算するために、以下のように最適化されたテーブルである。
【００５８】
つまり、本実施の形態では、温度センサー３４は、図４および図５に示すように、縦置き姿勢の場合の方が横置き姿勢の場合よりも、感熱部３４ａへと運ばれる気流の上流側、即ち、感熱部３４ａへの下方側において定着ローラー３１が占める割合が大きいので、より定着ローラー３１の表面温度を反映した温度を検出することができる。
反対に横置き姿勢の場合には、上述とは逆の傾向となり、温度センサー３４による検出結果は、縦置き姿勢のときよりも、より雰囲気温度による影響を受け易い。
【００５９】
第１および第２補正テーブルは、このように設置姿勢毎に対流条件が異なることにより生じる温度検出誤差を補正し、定着ローラー３１の温調制御が問題なく行える範囲（＋−５［％］）に納まるように、それぞれ各検出値に対応する補正係数を見直したものである。
続いて、ＣＰＵ１５０は、上記補正テーブルにより推定された定着ローラー３１の表面温度ｔ１が、目標温度ｔ０より低い場合には（ステップＳ１８：ＹＥＳ）、ヒーター３３をＯＮにして定着ローラー３１を加熱し（ステップＳ１９）、表面温度ｔ１が、目標温度ｔ０より高い場合には（ステップＳ１８：ＮＯ）、ヒーター３３をＯＦＦ（ステップＳ２０）にする。
【００６０】
そして、温調終了か否かを判定する（ステップＳ２１）。例えば、プリントジョブが終了したとき、もしくは、プリントジョブが終了してから所定の待機時間が経過したときに、ＣＰＵ１５０により温調終了と判定される。
温調終了ではないと判定された場合には（ステップＳ２１：ＮＯ）、上記ステップＳ１６〜Ｓ２１までの動作が繰り返し実行される。
【００６１】
温調終了であると判定された場合には（ステップＳ２１：ＹＥＳ）、そのときのヒーター３３の状態を確認し、ＯＮ状態であれば、ＯＦＦ状態にした後（ステップＳ２２）、温調制御を終了する。
以上のように、第２の実施の形態では、プリンター２００の設置姿勢に応じて、定着ローラー３１の回転中心を通って鉛直方向上方に伸びる直線に対する感熱部３４ａの位置が変わったとしても、第１補正テーブルと第２補正テーブルとを使い分けることにより、定着ローラー３１の表面温度を精度よく検出することができる。
【００６２】
（３）第３の実施の形態
（３−１）画像形成装置の構成
以下、本発明の第３の実施の形態に係る画像形成装置の一例であるプリンターについて、図面を参照しながら説明する。
第３の実施の形態に係るプリンターの構成は、基本的に上記第２の実施の形態に係るプリンター２００と共通するが、第３の実施の形態に係るプリンター３００では、定着ローラー３１の温調制御に用いる温度センサーが２つ設けられており、これらの検出値が制御部５０に出力される点、および、制御部５０により実行される制御の内容が第２の実施の形態における制御の内容から若干変更されている点で、第２の実施の形態とは異なる。
【００６３】
さらに、補正テーブル記憶部１５５に第３補正テーブルおよび第４補正テーブルが記憶されている点で、第２の実施の形態とは異なる。第３補正テーブルおよび第４補正テーブルの内容については後述する。
以下では、共通の構成部分には第２の実施の形態と同じ符号を付して、その説明は省略するか簡略するにとどめ、相違する点を中心に説明する。
【００６４】
図７は、第３の実施の形態に係るプリンター３００を横置き姿勢で設置した状態を示す概略部分断面図であり、また、図８は、第３の実施の形態に係るプリンター３００を縦置き姿勢で設置した状態を示す概略部分断面図である。
図７に示すように、プリンター３００は、定着部３０において、定着ローラー３１の表面温度を検出する第１温度センサー１３４と第２温度センサー１３５とを備えている。
【００６５】
第１温度センサー１３４および第２温度センサー１３５は、第１の実施の形態における温度センサー３４と同一の構成であり、それぞれ感熱部１３４ａおよび１３５ａを有している。
横置き姿勢において、感熱部１３４ａは、図７に示すように、定着ローラー３１の幅方向の中央部において、これの回転中心を通る鉛直線上であって、かつ、定着ローラー３１の真上の位置（以下、単に、「ローラー中央真上の位置」という。）に配されている。
【００６６】
また、縦置き姿勢において、感熱部１３５ａは、図８に示すように、ローラー中央真上の位置に配されている。
なお、第１の実施の形態における温度センサー３４と同様に理由により、感熱部１３４ａから定着ローラー３１表面までの最小距離Ｄ２と、感熱部１３５ａから定着ローラー３１表面までの最小距離Ｄ３が、いずれも２．３［ｍｍ］±０．３［ｍｍ］となるように設定されている（図７参照）。
【００６７】
（３−２）温調制御の内容
以下、第３の実施の形態に係る、制御部５０における定着ローラー３１の温調制御について、図９のフローチャートに基づき説明する。
先ず、ＣＰＵ１５０は、定着ローラー３１を温調の開始のタイミングとなるまで待機し（ステップＳ３１：ＮＯ）、プリンター３００の電源投入直後や、プリントジョブを受け付けた場合などに、温調開始のタイミングであると判定して（ステップＳ３１：ＹＥＳ）、姿勢検出部５１の出力信号を現在のプリンター３００の設置姿勢に関する情報として取得する（ステップＳ３２）。
【００６８】
当該情報によりプリンター３００の設置状態が横置き姿勢となっていると判定された場合には（ステップＳ３３：ＹＥＳ）、第１温度センサー１３４を温調制御用の温度センサーとして選択すると共に、第３補正テーブルを温調制御用の補正テーブルとして選択する（ステップＳ３４）。
そして、ＣＰＵ１５０は、選択された第１温度センサー１３４の検出値と選択された第３補正テーブルとを用いて、定着ローラー３１の表面温度を推定する（ステップＳ３６）。
【００６９】
また、プリンター３００の設置状態が縦置き姿勢となっている場合（ステップＳ３３：ＮＯ）、第２温度センサー１３５を温調制御用の温度センサーとして選択すると共に、第４補正テーブルを選択し（ステップＳ３５）、選択された第２温度センサー１３５の検出値と選択された第４補正テーブルとを用いて、定着ローラー３１の表面温度を推定する（ステップＳ３６）。
【００７０】
なお、横置き姿勢・縦置き姿勢のそれぞれにおいて、選択された温度センサーの感知部が、定着ローラー３１の直上に位置するため、自然対流の条件は共通であり、共通の補正テーブルを使用することも可能である。
しかし、本実施の形態ではさらに表面温度の推定精度を高めるため、以下の要因を考慮して第３、第４の補正テーブルを作成している。
【００７１】
すなわち、定着品質に直接影響するのは、定着ニップ部Ｎに到る直前の定着ローラー３１の表面温度であると解されるところ、温度センサーとの定着ニップ部Ｎとの相対的位置の相違により、定着ニップ部Ｎを通過後、温度センサーによる測定位置に達するまでの時間が相違し、その間の温度変化量も多少なりとも異なってくる。
そこで、横置き姿勢と縦置き姿勢のそれぞれについて最適な補正テーブルを求めて、第３と第４の補正テーブルとしているのである。
【００７２】
続いて、ＣＰＵ１５０は、上述のように求められた定着ローラー３１の表面温度ｔ１が、目標温度ｔ０よりも低い場合には（ステップＳ３７：ＹＥＳ）、ヒーター３３をＯＮ状態にして定着ローラー３１を加熱し（ステップＳ３８）、表面温度ｔ１が目標温度ｔ０より高い場合には（ステップＳ３７：ＮＯ）、ヒーター３３をＯＦＦ状態にする（ステップＳ３９）。
【００７３】
そして、温調終了か否かを判定する（ステップＳ４０）。例えば、プリントジョブが終了したとき、もしくは、プリントジョブが終了してから所定の待機時間が経過したときに、ＣＰＵ１５０により温調終了と判定される。
温調終了ではないと判定された場合には（ステップＳ４０：ＮＯ）、上記ステップＳ３６〜Ｓ４０までの動作が繰り返し実行される。
【００７４】
温調終了であると判定された場合には（ステップＳ４０：ＹＥＳ）、そのときのヒーター状態を確認し、ＯＮ状態であれば、ＯＦＦ状態にした後（ステップＳ４１）、温調制御を終了する。
以上のように、第３の実施の形態では、第３および第４補正テーブルは、それぞれ第１温度センサー１３４および第２温度センサー１３５と定着ニップ部Ｎとの相対的位置の違いに起因する温度変動分を見込んで、定着ニップ部Ｎを通過する直前の定着ローラー３１の表面温度を推定できるように作成されている。
【００７５】
さらに、第１温度センサー１３４および第２温度センサー１３５は、それぞれの感熱部１３４ａおよび１３５ａが、対応する姿勢において、定着ローラー３１により熱せられた上昇気流の主流の通過するローラー中央真上の位置に設けられている。
このため、定着ローラー３１の表面温度のより高精度な検出が可能となる。
（４）第４の実施の形態
（４−１）画像形成装置の構成
以下、本発明の第４の実施の形態に係る画像形成装置の一例であるプリンターについて、図面を参照しながら説明する。
【００７６】
第４の実施の形態に係るプリンターの構成は、基本的に上記第３の実施の形態に係るプリンター３００と共通するが、第４の実施の形態に係るプリンター４００では、定着ローラー３１の温調制御用の温度センサーとして、定着ローラー３１の外周面に沿って移動可能なものが１つのみ設けられている点がプリンター３００とは異なる。
以下では、共通の構成部分には第１の実施の形態と同じ符号を付して、その説明は省略するか簡略するにとどめ、相違する点を中心に説明する。
【００７７】
図１０は、第４の実施の形態に係るプリンター４００の定着部３０における要部構成を示す部分概略断面図である。同図では、プリンター４００を横置き姿勢で設置した状態を示している。
同図に示すように、定着ローラー３１の温調制御用の温度センサーとして、温度センサー３６が１つのみ設けられている。
【００７８】
この温度センサー３６は、第１の実施の形態における温度センサー３４と同一の構成であり、感熱部３６ａを有している。
図１１は、温度センサー３６の支持機構２３０構造を説明する斜視図である。
同図に示すように、支持機構２３０は、定着ローラー３１と並行に配された支持板２３１を、その両端部を９０［°］折り曲げてなる側板部２３１ａ、２３１ｂを介して、定着ローラー３１の回転軸３１ａに回転自在に軸支されている。
【００７９】
温度センサー３６は、定着ローラー３１の回転軸方向に沿って設けられた支持板２３１の長手方向の中央部に固定されている。
そして、側板部２３１ａの上記軸支位置から少し離れた位置に突設されたピン２３１ｃを介してロッド２３２の端部が軸支され、ロッド２３２と支持板２３１とでリンク機構が構成される。
【００８０】
ロッド２３２は、側板部２３１ａに軸支されている端部とは反対側の端部２３２ａが、筐体２の面２ｂに設けられた貫通孔２ｃから外方に突出している。
さらに、ロッド２３２と筐体２の面２ｂ側との間に、引張ばね２３３が留め掛けられており、これによりロッド２３２は、貫通孔２ｃから外方に突出するように付勢される。
ロッド２３２の途中には、鍔状のストッパー部２３２ｂが設けられており、当該ストッパー部２３２ｂが、筐体２の内側に当接することにより、ロッド２３２の外側の端部２３２ａの突出量が規制される。
【００８１】
横置き姿勢の状態で、ロッド２３２がこの位置で停止することにより、図１１に示すように支持板２３１に固定された温度センサー３６の感熱部３６ａが、丁度定着ローラー３１のローラー中央真上の位置に存するようになっている。
ここで、プリンター４００の設置姿勢を横置きから図１２に示すように縦置きに変更すると、面２ｂ側が筐体２の底面となるため、ロッド２３２の面２ｂから外側の端部２３２ａが設置面に当接し、引張ばね２３３の付勢力に抗して矢印Ｆで示す方向に押し込まれる。
【００８２】
これにより、支持板２３１は、矢印Ｇで示す方向に揺動すると共に、これに保持された温度センサー３６が定着ローラー３１の外周面に沿って移動することとなる。
そして、プリンター４００を縦置き姿勢で設置した状態で、温度センサー３６の感熱部３６ａが、ローラー中央真上の位置に移動するように、支持機構２３０の各部材の寸法、軸支位置が設定されている。
【００８３】
なお、本実施の形態でも定着ローラー３１表面から温度センサー３６の感熱部３６ａまでの最小距離は、いずれの設置姿勢であっても、第１の実施の形態と同様に、２．３［ｍｍ］±０．３［ｍｍ］に設定されている。
なお、プリンター４００を縦置き姿勢から横置き姿勢に戻した場合、ロッド２３２は、設置面から離れて装置内部に押し込まれる力が解除され、引張ばね２３３の作用によって筐体２から飛び出す。
【００８４】
これより、支持板２３１が矢印Ｈ方向に戻り、これに固定された温度センサー３６も点線で示す位置に復帰する。
以上のように、第４の実施の形態に係るプリンター４００では、１つの温度センサー３６の感熱部３６ａが、設置姿勢に応じて、定着ローラー３１により熱せられた上昇気流の主流の通過するローラー中央真上の位置へと移動するので、第３の実施の形態に係るプリンター３００のように、温度センサーを２つ設ける必要もなく、また、温度サンサーを選択する必要もない。
【００８５】
なお、本実施の形態における温調制御の実行手順も、第３の実施の形態における図９のフローチャートとほぼ同じであるが、ステップＳ３４、Ｓ３５において、第１と第２温度センサーを選択する処理は不要となる。
本実施の形態でも、第３の実施の形態に係るプリンター３００と同様、各設置姿勢において定着ローラー３１の表面温度をより高精度に検出することが可能となる。
＜変形例＞
本発明は、上述のような実施の形態に限られるものではなく、次のような変形例も実施することができる。
【００８６】
（１）上記第１の実施の形態では、プリンター１の筐体２において、面２ａと面２ｂとが直交するとしたが、直交しなくても構わない。
図１３（ａ）および図１３（ｂ）は、このようなプリンターの構成であって、それぞれ横置き姿勢および縦置き姿勢で設置されている状態を示す概略部分断面図である。
ここで、定着ローラー３１の回転軸方向から見て、筐体２の面２ａと面２ｂとが直交せずに、角度θ３で交差しているものとする。
【００８７】
すると、横置き姿勢から縦置き姿勢に変更する場合、横置き姿勢のプリンター１を角度θ３［°］傾ける必要があるが、横置き姿勢における温度センサーの感熱部３４ａは、定着ローラー３１の回転中心を通って鉛直方向上方に伸びる直線に対して、上述の傾ける方向と反対方向に９０［°］−θ３ ／２［°］だけ傾いた位置に配される。
このような位置に温度センサー３４を設けることで、縦置き姿勢においては、図１３（ｂ）に示すように、定着ローラー３１の軸心方向から見たときに、定着ローラー３１の回転中心を通って鉛直方向上方に伸びる直線に対して、横置き姿勢のおける位置とは反対側の９０［°］−θ３ ／２［°］の位置に感熱部３４ａを配することができる。
【００８８】
つまり、横置き姿勢および縦置き姿勢における感熱部３４ａの位置を、互いの対流状況が略同様となる位置、即ち、互いに定着ローラー３１の回転中心を通る鉛直面を挟んで、面対称となる位置に設定することができるため、各設置姿勢における感熱部３４ａ周辺では、対流の状況を含む熱伝導条件が略同じになる。
これにより、１つの補正テーブルを用いるだけで、各設置姿勢における定着ローラー３１の表面温度の推定が可能となり、補正テーブルを格納する補正テーブル記憶部１５５の記憶容量の節約が可能となる。
【００８９】
（２）また、上記第４の実施の形態では、プリンター４００の設置姿勢に応じて、温度センサー３６の感熱部３６ａが、横置き姿勢および縦置き姿勢のいずれにおいても、丁度ローラー中央真上となるように移動可能な構成としたが、これに限らない。
例えば、感熱部３６ａが、ローラー中央真上の位置になくても、第２の実施の形態のように、それぞれの姿勢および位置に応じた補正テーブルを用いることで、定着ローラー３１の表面温度の推定が可能となる。
【００９０】
また、これと同様の理由で、上記第３の実施の形態において、第１温度センサー１３４および第２温度センサー１３５は、それぞれ横置き姿勢および縦置き置姿勢において、必ずしもローラー中央真上の位置に配する必要がないことは言うまでもない。
（３）上記実施の形態では、横姿勢の場合における温度センサーの出力から実際の定着ローラー３１の表面温度を推定するための補正係数を格納した補正テーブルを補正テーブル記憶部１５５内に格納していた。
【００９１】
しかし、定着ローラー３１の温度検出の精度をさらに向上させるため、きめ細かい補正テーブルを作成してもよい。
厳密に言えば、温度センサーは、定着ローラー３１の表面から対流などの熱伝導より伝わる熱と、定着部３０のハウジング内の温度（以下、「雰囲気温度」という。）の双方に影響されて検出値を出力する。
【００９２】
したがって、温調開始時の定着部３０の雰囲気温度によって、実際の定着ローラー３１の表面温度と温度センサーの検出結果との誤差も微妙に変化することになる。
つまり、雰囲気温度が低いと、温度センサーは、定着ローラー３１の表面温度を反映しやすいが、雰囲気温度が高くなるとその温度の温度センサーの検出値に対する影響も大きくなり、補正係数の修正が必要となる。
【００９３】
そこで、たとえば、上記の温調制御用に主に定着ローラー３１表面温度を検出する温度センサー（以下、「温調用温度センサー」という。）とは別に定着ローラー３１から離れた位置に主に雰囲気温度を検出するための温度センサー（以下、「雰囲気温度センサー」）を設けて、雰囲気温度ごとに補正係数を求めて補正テーブルを作成して、補正テーブル記憶部１５５に格納しておき、温調制御時には、まず、雰囲気温度センサーの検出値に基づき、補正テーブルを選択して、温調用温度センサーの検出値を当該選択した補正テーブルで補正するようにすることにより、定着ローラー３１の表面温度をより正確に推定することができる。
【００９４】
このように、それぞれの設置姿勢における補正テーブルの種類が多くなると、それらの記憶に必要な記憶容量も多くなるが、上述のように本発明によれば、一方の設置姿勢における補正テーブルを他方の設置姿勢における補正テーブルと共通に使用できるので、記憶容量の節約の効果が大きい。
（４）上記第２の実施の形態では、プリンター２００の設置姿勢を取得する取得手段として、姿勢検出部５１を用いたが、これに限られない。
【００９５】
例えば、プリンター２００の操作パネル（不図示）あるいは他の適当な手動スイッチを受付手段として、ユーザーから設置姿勢の指定を受け付けてもよく、また、設置姿勢を検出する手段として上記のプッシュボタンなどのほか、傾きセンサーや加速度センサーなどを用いて重力加速度の作用する方向を検出することにより、プリンターの設置姿勢を検出してもよい。
【００９６】
（５）上記実施の形態では、定着ローラー３１は、これに内蔵されたヒーター３３によって加熱されていたが、これに限られない。
近年、定着ローラー内にヒーターを内蔵させるのではなく、ローラーの外径よりも僅かに内径が大きい発熱層を含む無端状の定着ベルトに当該ローラーを遊嵌し、当該定着ベルトの発熱層を誘導加熱する所謂ゆるばめ式の定着装置が考えられている。
【００９７】
本構成では、定着ベルトにおける外周の一部のみをローラーの外周面に接触させているため断熱効率が高く、ウォーミングアップ時間を短縮することができるというメリットがある。
当該ゆるばめ式の定着装置では、温度検出の対象は、定着ローラーではなく定着ベルトとなる。このように、温度検出の対象は、様々なものが考えられるため、加熱回転体であれば、どのようなものであっても構わない。
【００９８】
（６）上記実施の形態では、定着ニップ部Ｎを形成するために、定着ローラーと加圧ローラーとを圧接させていたが、これに限らない。
例えば、加圧ローラーの代わりに、表面が低摩擦材料などで覆われた加圧パッドなどを定着ローラーに圧接させる構成としてもよく、要するに、定着ローラーを加圧する加圧部材としては、表面に適当な摺動性を有して加圧できるものであれば、どのようなものであってもよい。
【００９９】
（７）なお、上記実施の形態では、本発明に係る画像形成装置をモノクロ式プリンターに適用した場合の例を説明したが、これに限られず、タンデム型カラーデジタルプリンターに適用してもよく、要するに、設置姿勢が変更可能であって、加熱回転体を有する定着装置を備える画像形成装置一般に適用することができる。
また、上記実施の形態および上記変形例の内容をそれぞれ組み合わせるとしてもよい。
【産業上の利用可能性】
【０１００】
本発明は、設置姿勢が変更可能であって、加熱回転体の外周面に加圧部材を押圧して定着ニップ部を形成し、未定着画像の形成されたシートを当該定着ニップに通紙して熱定着する画像形成装置に広く適用することができる。
【符号の説明】
【０１０１】
１  、２００  、３００  、４００      プリンター
１２                                    感光体ドラム
１４                                    帯電器
１５                                    光学部
１６                                    現像器
１７                                    転写ローラー
２０                                    給紙部
２１                                    給紙トレイ
２１ａ                                  載置面
２１ｂ                                  ガイド板
２２                                    支軸
２２ａ                                  昇降板
２５                                    ピックアップローラー
２７                                    転写ニップ
３０  、１３０  、３３０                定着部
３１                                    定着ローラー
３１ａ                                  回転軸
３２                                    加圧ローラー
３３                                    ヒーター
３４  、  ３６                          温度センサー
３４ａ、  ３６ａ、１３４ａ、１３５ａ    感熱部
４０                                    排紙ローラー
４１                                    排紙トレイ
４２ａ                                  載置面
５０                                    制御部
５１                                    姿勢検出部
５１ａ                                  アクチュエーター
１３４                                    第１温度センサー
１３５                                    第２温度センサー
１５０                                    ＣＰＵ
１５１                                    通信Ｉ／Ｆ部
１５５                                    補正テーブル記憶部
２３０                                    支持機構
２３１                                    支持板
２３２                                    ロッド
２３１ａ                                  側板部
２３１ｃ                                  ピン
２３２ａ                                  端部
【図１】
0005692159.tif 000002
【図２】
0005692159.tif 000003
【図３】
0005692159.tif 000004
【図４】
0005692159.tif 000005
【図５】
0005692159.tif 000006
【図６】
0005692159.tif 000007
【図７】
0005692159.tif 000008
【図８】
0005692159.tif 000009
【図９】
0005692159.tif 000010
【図１０】
0005692159.tif 000011
【図１１】
0005692159.tif 000012
【図１２】
0005692159.tif 000013
【図１３】
0005692159.tif 000014